(57)【特許請求の範囲】
【請求項１】
上面より上方付勢状態で押し下げ可能にステム７を突設するとともに、該ステムの押し下げにより内蔵吐出弁が開き、ガス圧で液をステムより噴出する如く構成したエアゾール容器体２と、ステム７に下端の導入口10を嵌合させて押し下げ可能に装着するとともに、導入口10より噴出口11に至る液流路ａを有する噴出ヘッド３とを備えてなる液体噴出器であって、容器体２上部外周に嵌合させた筒状の支持部材５を設けるとともに、該支持部材５に起伏可能に設けた半環状の係止帯４により押し下げ状態の噴出ヘッド３を係止可能に構成し、上記支持部材５が、下端内周を容器体２上端外周に嵌着させるとともに、噴出ヘッド３周囲に該ヘッドの押し下げが可能に起立させた筒状の支持部材であり、上記係止帯４が、支持部材５外周上部に凹設した半環状の凹部20内に収納してその両端を枢着した係止帯であることを特徴とする液体噴出器。
【請求項２】
上記噴出ヘッド３を支持部材５に対して回動させた際に、噴出ヘッドの押し下げを防止するロック機構を設けてなる請求項１記載の液体噴出器。
【請求項３】
上記ロック機構が、支持部材５内に噴出ヘッド３の押し下げが可能に設けた横壁27と、噴出ヘッド３下面より突設するとともに、横壁27に穿設した窓孔26内に挿入する突起28とで構成し、噴出ヘッドの支持部材５に対する回動時に突起28が横壁27に当接して押し下げを防止する如く構成したロック機構である請求項２記載の液体噴出器。
【請求項４】
上記噴出ヘッド３が、ステム７に下端の導入口10を密嵌して起立した注出筒29の上部を押下板30上方に突出するとともに、前部を支持部材５にヒンジ部31を介して連結して上下揺動可能に設けた噴出ヘッドである請求項１記載の液体噴出器。
【発明の詳細な説明】
【０００１】
【発明の属する技術分野】
本発明は液体噴出器に関する。
【０００２】
【従来の技術】
液体噴出器として種々の形態のものが知られているが、例えば、上面より上方付勢状態で押下可能にステムを突出し、ステムの押し下げにより内蔵吐出弁が開弁してガス圧により収納液を噴出する如く構成したエアゾール容器体に、筒状の噴出ヘッドやノズル状の噴出ヘッド等を嵌着したものが一般的に使用されている。
【０００３】
前者の例として例えば、下端の導入口をステムに嵌着した縦筒を頂壁裏面より垂設し、縦筒上端に基端を連通した横筒を、頂壁周縁部から垂設した周壁を貫通して横設し、その先端を噴出口として開口したものが挙げられ、また、後者の例として、容器体胴部外周上端に嵌着させた装着筒にヒンジ部を介して上下揺動可能に押下板を連結するとともに、ステムに下端を密嵌した注出筒の上端を押下板より突設したものが挙げられる。
【０００４】
従来のこの種の液体噴出器は、収納液を使い切った後にもガスが容器体内に残存しているため、そのまま廃棄すると種々の不都合を引き起こす虞があり、そのため、例えば容器体胴部に釘等により穿孔してガス抜きを行った後廃棄している。また、噴出ヘッド等を被覆して容器体に装着するオーバーキャップを備えたものにあっては、そのキャップ上面に特殊構造のガス抜き用突起を形成し、該キャップを使用して廃棄時にガス抜きを行うことも行われている。
【０００５】
【発明が解決しようとする課題】
釘等によるガス抜きは道具を用意しなければならないため面倒であり、また、後者は特殊構成のオーバーキャップを必要とするため、製造コストもかかり、また、オーバーキャップを必ず設けなければならないという不都合もある。
【０００６】
本発明は、上記した点に鑑みなされたもので、収納液を使い切った後に容器体内に残存するガスを極めて簡単な操作で排出することができ、ガスの残存による種々の不都合の虞がなく廃棄でき、また、構造も簡単で安価に且つ容易に製造できる液体噴出器を提案するものである。
【０００７】
【課題を解決するための手段】
第１の手段として、以下の通り構成した。即ち、上面より上方付勢状態で押し下げ可能にステム７を突設するとともに、該ステムの押し下げにより内蔵吐出弁が開き、ガス圧で液をステムより噴出する如く構成したエアゾール容器体２と、ステム７に下端の導入口10を嵌合させて押し下げ可能に装着するとともに、導入口10より噴出口11に至る液流路ａを有する噴出ヘッド３とを備えてなる液体噴出器であって、容器体２上部外周に嵌合させた筒状の支持部材５を設けるとともに、該支持部材５に起伏可能に設けた半環状の係止帯４により押し下げ状態の噴出ヘッド３を係止可能に構成した。
【０００８】
第２の手段として、以下の通り構成した。即ち、前記第１の手段に於いて、上記支持部材５が、下端内周を容器体２上端外周に嵌着させるとともに、噴出ヘッド３周囲に該ヘッドの押し下げが可能に起立させた筒状の支持部材であり、上記係止帯４が、支持部材５外周上部に凹設した半環状の凹部20内に収納してその両端を枢着した係止帯である。
【０００９】
第３の手段として、以下の通り構成した。即ち、前記第１の手段に於いて、上記噴出ヘッド３を支持部材５に対して回動させた際に、噴出ヘッドの押し下げを防止するロック機構を設けた。
【００１０】
第４の手段として、以下の通り構成した。即ち、前記第３の手段に於いて、上記ロック機構が、支持部材５内に噴出ヘッド３の押し下げが可能に設けた横壁27と、噴出ヘッド３下面より突設するとともに、横壁27に穿設した窓孔26内に挿入する突起28とで構成し、噴出ヘッドの支持部材５に対する回動時に突起28が横壁27に当接して押し下げを防止する如く構成したロック機構である。
【００１１】
第５の手段として、以下の通り構成した。即ち、前記第１の手段に於いて、上記噴出ヘッド３が、ステム７に下端の導入口10を密嵌して起立した注出筒29の上部を押下板30上方に突出するとともに、前部を支持部材５にヒンジ部31を介して連結して上下揺動可能に設けた噴出ヘッドである。
【００１２】
【発明の実施の形態】
以下、本発明の実施例の形態を図面を参照して説明する。
【００１３】
図面にある如く本発明の液体噴出器１は、エアゾール容器体２と、噴出ヘッド３と、係止帯４を有する支持部材５とを備えている。
【００１４】
エアゾール容器体２は、胴部６の上面より上方付勢状態で押し込み可能にステム７を突出し、該ステムの押し込みにより内蔵吐出弁（図示せず）が開弁してガス圧により容器体内の収納液をステム７より噴出する如く構成した公知の噴出機構を備えたものが使用でき、一般的なこの種の容器体を使用できる。図示例では、筒状の胴部６上端をテーパ状に縮径し、その上端縁部にカシメ部分である筒部８を立設し、筒部８外周下部に下向き段部９を周設している。
【００１５】
噴出ヘッド３は合成樹脂等により形成され、ステム７に嵌着してその押し下げ及び液の噴出を行うためのもので、ステム７に下端の導入口10を嵌合させて装着するとともに、導入口10より噴出口11に至る液流路ａを有するものである。図１の実施例では、ステム７に下端の導入口10を密嵌させた縦筒12を頂壁13裏面中央部より垂設するとともに、縦筒12上部に基端を開口した横筒14を前方へ延設し、その先端に噴出口11を開口し、この縦筒12と横筒14内を液流路ａに構成している。また、頂壁13周縁部より下方へ周壁15を垂設している。
【００１６】
支持部材５も合成樹脂等により形成され、容器体２上部外周に嵌合させたもので、装備した係止帯４により押し下げ状態の噴出ヘッド３を係止するために設けている。図１の実施例では、内周壁16a 及び外周壁16b を上端のフランジ17を介して連結した二重筒状の支持部材５を備えており、容器体の筒部８外周に内周壁16a の下部内周を嵌合させて、噴出ヘッド３周囲に該ヘッドの押し下げが可能に起立させている。また、内周壁16a 内面下端部に突周設した係合突条18を下向き段部９下面に係合させて簡単に抜け出せない様に構成している。支持部材５の外周壁16b 前部上部を後方へ凹ませるとともに、この凹ませた部分の支持部材５上端部にはヘッドを押し下げた際の横筒14の下降が可能に凹み19を設けている。
【００１７】
係止帯４は、押し下げ状態の噴出ヘッド３を係止するためのもので、支持部材５に起伏可能に設けた半環状をなしている。本実施例では、支持部材５の外周壁16b 後半部上端に半環状の凹部20を設けており、該凹部20内に収納してその両端を枢着し、枢着部分を中心に回動して起伏可能に係止帯４を設けている。図中21は枢着軸を、22は軸孔を示す。また、内面には係合突起23を突設し、凹部20内に突設した係止突起24と係合可能に構成して、常時は上方へ回動しないように構成している。
【００１８】
また、本発明では、噴出ヘッド３を支持部材５に対して回動させた際に、ヘッドの押し下げを防止するロック機構を設けても良い。このロック機構の一例としては、支持部材５内に噴出ヘッド３の押し下げが可能に設けた横壁と、噴出ヘッド３下面より突設するとともに、横壁に穿設した窓孔内に挿入する突起とで構成し、ヘッドの支持部材５に対する回動時に突起が横壁に当接して押し下げを防止する如く構成したものが挙げられる。図２はこの種ロック機構の一例を示しており、中央部に縦筒12及びステム７を上下動可能に挿通させた挿通孔25を穿設し、また、周縁部前後左右４箇所に矩形状の窓孔26を穿設した横壁27を、支持部材５の内周壁16a 上下方向中間部より一体に延設している。また、噴出ヘッド３の周壁15下面前後左右より各窓孔26に挿入可能な突起28を突設している。
【００１９】
上記の如く構成した液体噴出器を使用する場合について説明する。まず、図１及び図２にある状態から噴出ヘッド３を押し下げると、図４及び図５にある如く、ステム７を押し下げ容器体内吐出弁が開弁して液がステム７より液流路ａを介してその噴出口11より噴出する。この際、噴出ヘッド３の突起28は窓孔26内に挿入される。噴出ヘッドの押圧を解除すればステム７の上方付勢力によりヘッドは上昇して元の状態に戻る。また、収納液が残存した状態で噴出器を使用しない場合には、図６及び図７に示す如く、噴出ヘッド３を支持部材５に対して所定幅回動させて突起28が窓孔26からずれた位置に来るように回動させ、ヘッドを押圧しても突起28が横壁27に当接して押し込みができない様にすることができる。更に、収納液を使い切った廃棄の際には、図８及び図９に示す如く、係止帯４を回動起立させて、押し込んだ状態の噴出ヘッド３を係止する。従って、この状態ではステム７は押し込まれた状態で維持され、容器体を常時開弁状態とし、残存ガスがあってもそのまま排出させる。
【００２０】
図10及び図11は本発明の他の実施例を示すもので、本実施例に於ける支持部材５は、下端部を図１の実施例と同様に嵌着した内周壁16a 上端より内方へフランジ32を延設し、また、内周壁16a 外面上部より外方へ突設したフランジ33を介して下方へ外周壁16b を垂設している。また、外周壁16b の後部外周には半環状の凹部20を設け、同様に半環状の係止帯４を起伏可能に設けている。また、噴出ヘッド３は、ステム７に下端の導入口10を密嵌して起立した注出筒29の上部を押下板30上方に突出するとともに、前端部を支持部材５にヒンジ部31を介して連結して上下揺動可能に設けた噴出ヘッド３を採用している。図示例では、押下板30の周縁部より垂壁34を垂設し、該垂壁34前部下端をフランジ32の前部内側縁部にヒンジ部31を介して連結している。
【００２１】
本実施例の場合には押下板30を押し下げればヒンジ部31を中心に押下板30が回動してステム７を押し下げ、注出筒29より液が噴出する。また、収納液を使い切った後は係止帯４を回動起立させ押し込んだ状態の押下板30に係合させ、同様に残存ガスの排出を行う。
【００２２】
【発明の効果】
以上説明した如く本発明の液体噴出器は、既述構成としたことにより、収納液を使い切った後に容器体内に残存するガスを極めて簡単な操作で排出することができ、残存ガスによる種々の不都合の虞がなく廃棄できるものである。また、その構造も簡単で安価に且つ容易に製造できる利点を兼ね備える。
【００２３】
また、下端内周を容器体２上端外周に嵌着させるとともに、噴出ヘッド３周囲に該ヘッドの押し下げが可能に起立させた支持部材５を採用し、支持部材５外周上部に凹設した半環状の凹部20内に収納してその両端を枢着した係止帯４を採用したものにあっては、収納液を使い切るまで不必要な係止帯４が、使用時に特別嵩張ったり、突出したりすることなく邪魔にならず、円滑な液の噴出を行える利点を兼ね備える。
【００２４】
また、噴出ヘッド３を支持部材５に対して回動させた際に、ヘッドの押し下げを防止するロック機構を設けてなるものにあっては、簡単な操作で不用意な液の漏出を防止でき、再使用に当たっても簡単な操作で元の状態に戻すことができるという利点を兼ね備える。
【００２５】
更に、支持部材５内に噴出ヘッド３の押し下げが可能に設けた横壁27と、噴出ヘッド３下面より突設するとともに、横壁27に穿設した窓孔26内に挿入する突起28とで構成し、ヘッドの支持部材５に対する回動時に突起28が横壁27に当接して押し下げを防止する如く構成したロック機構を設けてなるものにあっては、横壁27は支持部材５と、突起28は噴出ヘッド３とそれぞれ一体に形成できるため、特別製造が困難となることはなく上記効果を発揮できるものである。また、横壁27は支持部材５と一体に形成しているため、噴出ヘッド３を押下げても変形する等の不都合がなく、確実に押下げを防止できるものである。
【００２６】
また、ステム７に下端の導入口10を密嵌して起立した注出筒29の上部を押下板30上方に突出するとともに、前部を支持部材５にヒンジ部31を介して連結して上下揺動可能に設けた噴出ヘッド３を設けたものにあっては、支持部材と噴出ヘッドとを一体に形成することができる利点を兼ね備える。
【図面の簡単な説明】
【図１】本発明の一実施例を示す斜視図である。
【図２】同実施例の縦断面図である。
【図３】同実施例の容器体以外の部分の分解斜視図である。
【図４】同実施例のヘッドを押し込んだ状態の斜視図である。
【図５】同実施例のヘッドを押し込んだ状態の縦断面図である。
【図６】同実施例のロック状態の斜視図である。
【図７】同実施例のロック状態の縦断面図である。
【図８】同実施例の係止帯を使用した状態の斜視図である。
【図９】同実施例の係止帯を使用した状態の縦断面図である。
【図１０】本発明の他の実施例を示す縦断面図である。
【図１１】同実施例の支持部材及び噴出ヘッドを示す斜視図である。
【符号の説明】
２…容器体，３…噴出ヘッド，４…係止帯，５…支持部材，７…ステム，
10…導入口，11…噴出口，20…凹部，25…窓孔，27…横壁，28…突起，
ａ…液流路
【図１】
0003942835.tif 000002
【図２】
0003942835.tif 000003
【図３】
0003942835.tif 000004
【図４】
0003942835.tif 000005
【図５】
0003942835.tif 000006
【図６】
0003942835.tif 000007
【図７】
0003942835.tif 000008
【図８】
0003942835.tif 000009
【図９】
0003942835.tif 000010
【図１０】
0003942835.tif 000011
【図１１】
0003942835.tif 000012